(57)【要約】【課題】  映像中のシーンに応じた視聴環境を提供すること。【解決手段】  映像再生システムは、映像情報を再生する映像再生手段と、前記映像情報に予め設定されている環境情報を取得する環境情報取得手段と、を備える。【選択図】  図１
2020150349.tif 000002
【特許請求の範囲】
【請求項１】
映像情報を再生する映像再生手段と、
前記映像情報に予め設定されている環境情報を取得する環境情報取得手段と、
を備える映像再生システム。
【請求項２】
前記環境情報は、温度、湿度、風量、風向または照度の少なくとも１つを表す情報である、請求項１に記載の映像再生システム。
【請求項３】
空気調和装置、照明装置の少なくとも１つの装置の位置と、前記映像情報の視聴者の位置とに基づいて前記環境情報を補正し、補正された前記環境情報に基づいて前記少なくとも１つの装置を制御する環境制御手段を更に備える、請求項１又は２に記載の映像再生システム。
【請求項４】
映像情報を再生する処理と、
前記映像情報に予め設定されている環境情報を取得する処理と、
をコンピュータに実行させるプログラム。
【発明の詳細な説明】
【技術分野】
【０００１】
本発明は、映像再生システム及びプログラムに関する。
【背景技術】
【０００２】
特許文献１には、居室内に温熱環境制御装置と、光環境制御装置と、主操作装置等を設け、主操作装置から、各環境制御装置に使用者が選択した環境情報を伝達する居室環境の制御システムが開示されている。環境情報には、温度などが含まれ、各環境制御装置は、環境情報に基づいて、居室内環境を制御する。
【先行技術文献】
【特許文献】
【０００３】
【特許文献１】特開平５−１８７６８４号公報
【発明の概要】
【発明が解決しようとする課題】
【０００４】
しかしながら、上記居室環境の制御システム等においては、例えば、映画の音声、環境、照明状況等の環境を、それぞれの映画のシーンにあわせて、変化させることができない場合がある。そこで、本発明の一態様は、例えば映像中のシーンに応じて、温度や照明等の環境を変化させることのできる映像再生装置等を提供することを目的とする。
【課題を解決するための手段】
【０００５】
本発明の第１の態様に係る映像再生システムは、映像情報を再生する映像再生手段と、前記映像情報に予め設定されている環境情報を取得する環境情報取得手段と、を備える。
【０００６】
本発明の第２の態様に係るプログラムは、映像情報を再生する処理と、前記映像情報に予め設定されている環境情報を取得する処理と、をコンピュータに実行させる。
【図面の簡単な説明】
【０００７】
【図１】映像再生システムの構成の一例を示すブロック図である。
【図２】映像再生装置の機能構成の一例を示すブロック図である。
【図３】装置情報の一例を示す図である。
【図４】環境情報の一例を示す図である。
【図５】映像再生装置の動作の一例を示すフローチャートである。
【図６】映像再生システムの構成の一例を示すブロック図である。
【図７】映像再生装置１００の機能構成の一例を示すブロック図である。
【図８】装置情報の一例を示す図である。
【図９】ユーザ端末の機能構成の一例を示すブロック図である。
【図１０】視聴位置と装置位置とを設定するための設定画面の一例を示す図である。
【図１１】視聴位置情報の一例を示す図である。
【図１２】装置位置情報の一例を示す図である。
【図１３】映像再生装置の動作の一例を示すフローチャートである。
【図１４】映像再生システムの一例を示すブロック図である。
【図１５】サーバ装置の機能構成の一例を示すブロック図である。
【図１６】ユーザ環境情報の一例を示す図である。
【発明を実施するための形態】
【０００８】
以下、本開示の実施形態について、図面を参照しつつ説明する。なお、図面については、同一又は同等の要素には同一の符号を付し、重複する説明は省略する。
【０００９】
［第１の実施形態］
以下、第１の実施形態について説明する。
【００１０】
図１は、映像再生装置１００と、表示装置２００と、連携装置３００とを含む映像再生システムの構成の一例を示すブロック図である。
【００１１】
表示装置２００及び連携装置３００は、例えば、ユーザ宅１０の同一の部屋（空間）に設置されるものとする。以下の説明では、表示装置２００と連携装置３００とが設置された、ユーザ宅１０の部屋（空間）を、視聴空間と呼ぶ。なお、映像再生装置１００は、表示装置２００及び連携装置３００と通信できれば、視聴空間とは異なる空間に設置されてもよいし、視聴空間に設置されてもよい。また、図１は、映像再生装置１００を、ユーザ宅１０内に配置しているが、これは、映像再生装置１００を、ユーザ宅１０内に配置することに限定する趣旨ではない。例えば、映像再生装置１００と、連携装置３００とが、ネットワーク（不図示）を介して接続してもよい。ここで、ネットワークは、例えば、ＷＡＮ（Wide Area Network）等であってもよい。
【００１２】
映像再生装置１００は、映像情報を再生する。映像再生装置１００は、映像情報に含まれる画像を、表示装置２００に表示させる。また、映像再生装置１００は、映像情報に含まれる音声を、スピーカ（不図示）に出力してもよい。
【００１３】
映像情報は、例えば、映像情報を識別する情報（以下、映像ＩＤ（Identifier）と呼ぶ）と、画像情報と、音声情報と、環境情報とを含んで構成される。環境情報は、温度、湿度、風量、風向または照度の少なくとも１つを表す情報である。また、環境情報は、音声に関する情報を含んでもよい。ここで、環境情報に含まれる音声に関する情報とは、環境音（例えば、風の音、波の音、鳥の鳴き声等）に関する情報を含むものとする。
【００１４】
映像提供側（例えば、映像制作者、映画会社等）が、作成（撮影）した映像に、映像中のシーンに応じた視聴環境（温度、湿度、風量、風向、照度等）を、環境情報として映像情報に設定する。つまり、映像提供側は、映像シーンにおける視聴環境（温度、湿度、風量、風向、照度等）を、映像情報に設定する。環境情報の詳細については、後述する。
【００１５】
連携装置３００は、例えば、通信手段（不図示）を備える家電機器である。連携装置３００は、例えば、空気調和装置３０１、照明装置３０２に相当する。なお、図１においては、空気調和装置３０１、照明装置３０２を、それぞれ一つ示すが、これは、視聴空間に空気調和装置３０１、照明装置３０２が、視聴空間にそれぞれ一つ配置されることに限定する趣旨ではない。視聴空間に、２以上の空気調和装置３０１が配置されてもよい。同様に、視聴空間に、２以上の照明装置３０２が配置されてもよい。
【００１６】
空気調和装置３０１は、温度、湿度、風量、風向の少なくともいずれかを制御する機能を有する装置である。空気調和装置３０１は、例えば、エアコン、空気清浄機、扇風機等である。
【００１７】
照明装置３０２は、光源（ＬＥＤ（Light Emitting Diode等）を含んで構成される。
【００１８】
映像再生装置１００、連携装置３００は、無線（Bluetooth（登録商標）、Wi-Fi（登録商標）等）又は有線により接続する。映像再生装置１００、連携装置３００は、ユーザ宅１０に設置されたアクセスポイント（不図示）を介して通信してもよいし、アクセスポイント（不図示）を介さず通信してもよい。
【００１９】
次に、映像再生装置１００について詳細に説明する。
【００２０】
図２は、映像再生装置１００の機能構成の一例を示すブロック図である。映像再生装置１００は、例えば、記憶部１０１と、通信部１０２と、制御部１０３とを含む。
【００２１】
記憶部１０１は、映像再生装置１００を動作させるための情報を記憶する。記憶部１０１は、例えば、ＲＯＭ（Read Only Memory）、ＲＡＭ（Random Access Memory）等により実現される。
【００２２】
また、記憶部１０１は、連携装置３００に関する装置情報を記憶する。また、記憶部１０１は、環境情報が設定された映像情報を記憶してもよい。
【００２３】
装置情報は、例えば、連携装置３００を識別する情報と、連携装置３００の種別を示す情報と、連携装置３００に搭載された機能の種別を示す情報と、当該機能に関する設定可能な値を示す情報とを関連付けて構成される。以下の説明では、連携装置３００の種別を示す情報を、装置種別と呼ぶ。また、以下の説明では、連携装置３００に搭載された機能の種別を示す情報は、機能種別と呼ぶ。機能種別は、温度、湿度、風量、風向または照度、音声の少なくともいずれかである。以下の説明では、連携装置３００を識別する情報を、装置識別情報と呼ぶ。装置識別情報は、連携装置３００を識別する情報であればよく、その詳細は問わない。例えば、装置識別情報は、連携装置３００に割り当てられた装置番号、製造番号、ＩＰ（Internet Protocol）アドレス、ＭＡＣ（Media Access Control）アドレス等であってもよい。
【００２４】
通信部１０２は、連携装置３００と通信する。通信部１０２は、例えば、ＮＩＣ（Network Interface Card）等により実現される。
【００２５】
例えば、通信部１０２は、ユーザ宅１０内の連携装置３００（空気調和装置３０１、照明装置３０２等）に対して、装置情報要求を送信する。例えば、通信部１０２は、ユーザ宅１０内のＬＡＮに接続する連携装置３００（空気調和装置３０１、照明装置３０２等）に、装置情報要求を送信する。
【００２６】
ここで、映像再生装置１００と連携可能な連携装置３００（空気調和装置３０１、照明装置３０２等）は、装置情報要求を受信したか否かを判断可能であるものとする。連携装置３００は、装置情報要求を受信すると、装置種別と、１又は２以上の機能種別と、機能種別毎に設定可能な値を示す情報とを、映像再生装置１００に応答する。または、連携装置３００に、一の機能が搭載される場合、連携装置３００は、装置情報要求を受信すると、装置種別と、設定可能な値を示す情報とを、映像再生装置１００に応答してもよい。映像再生装置１００は、連携装置３００の装置識別情報と、受信した装置種別と、機能種別と、機能に関する設定可能な値を示す情報とを関連付けて、装置情報として記憶部１０１に格納する。なお、上記の構成は、映像再生装置１００、連携装置３００の構成の一例であり、映像再生装置１００、連携装置３００の構成を限定する趣旨ではない。
【００２７】
図３は、装置情報の一例を示す図である。具体的には、図３は、装置種別と、装置識別情報と、機能種別と、設定可能範囲とを関連付けたテーブルを示す。なお、図３は、装置情報の一例であり、装置情報を図３に示す構成、情報に限定する趣旨ではない。例えば、図３は、「設定可能範囲（ｍｉｎ，ｍａｘ）」を示すが、これは、装置情報が、設定可能な最小値と、設定可能な最大値とを含んで構成されることに限定する趣旨ではない。例えば、装置情報は、設定可能な値を特定して構成されてもよい。また、装置情報が、設定可能範囲として、設定可能な最小値と設定可能な最大値とを含んで構成される場合、連携装置３００には、設定可能範囲内の所定の離散値を設定可能であっても、設定可能範囲内の連続値を設定可能であってもよい。
【００２８】
例えば、記憶部１０１が、図３に示す装置情報を記憶する場合、記憶部１０１は、連携装置３００の装置情報として、「エアコン」、「空気清浄機」、「照明」、「扇風機」に関する情報を記憶する。また、例えば、「エアコン」の装置識別情報は「ａａａ．ａａａ．ｂｂｂ．ｘ」である。また、「エアコン」は、「風量」に関して、レベル０以上レベル３以下の値を設定可能である。また、「エアコン」は、「風向」に関して、下向き又は上向きを設定可能である。
【００２９】
制御部１０３は、映像再生装置１００の全体を制御する。制御部１０３は、ＣＰＵ（Central Processing Unit）等のプロセッサにより実現される。例えば、プロセッサが、記憶部１０１に格納されたプログラムを読み出し、実行することで、プロセッサは、制御部１０３として動作する。
【００３０】
制御部１０３は、例えば、映像再生部１０４と、環境情報取得部１０５と、環境制御部１０６とを含む。
【００３１】
映像再生部１０４は、映像情報を再生する。例えば、映像再生部１０４は、操作手段（不図示、リモコン等）を介して映像情報の再生指示を受け付けると、映像情報を再生する。例えば、映像再生部１０４は、記憶媒体（ＤＶＤ（Digital Versatile Disk）、ＢＤ（Blu-ray Disk）等）に格納された映像情報を読み出し、映像情報を再生してもよい。または、記憶部１０１が、映像情報を記憶する場合、映像再生部１０４は、記憶部１０１に記憶された映像情報を読み出し、映像情報を再生してもよい。
【００３２】
環境情報取得部１０５は、映像情報に予め設定されている環境情報を取得する。
【００３３】
環境制御部１０６は、環境情報に基づいて、空気調和装置３０１を制御する。また、環境制御部１０６は、環境情報に基づいて、照明装置３０２の照度を制御する。
【００３４】
また、連携装置３００がスピーカを備える場合、環境制御部１０６は、環境情報に基づいて連携装置３００のスピーカから音声を出力するように、連携装置３００を制御してもよい。なお、環境情報が、音声に関する情報を含む場合、記憶部１０１、連携装置３００の少なくともいずれかに、音声データが記憶されているものとする。
【００３５】
次に、図４を参照しながら、環境情報に関して詳細に説明する。
【００３６】
環境情報は、例えば、映像情報中の再生順序を示す情報と、装置種別と、制御内容を示す情報とを関連付けて構成される。例えば、映像提供側が映像情報に環境情報を設定し、環境情報を設定した映像情報を作成する。以下の説明では、映像情報中の再生順序を示す情報を、再生順序識別情報と呼ぶ。再生順序識別情報は、例えば映像情報に付されたタイムコード、フレーム番号等であってもよく、再生順序を示す情報であれば、その詳細は問わない。以下の説明では、制御内容を示す情報を、制御指示と呼ぶ。
【００３７】
図４は、環境情報の一例を示す図である。具体的には、図４は、映像ＩＤ「ｍｏｖ０００１」の映像情報に関連する、再生順序識別情報と、装置種別と、制御指示とを関連付けたテーブルを示す。なお、図４は、環境情報の一例であり、環境情報を図４に示す構成、情報に限定する趣旨ではない。
【００３８】
制御指示は、例えば、機能種別と、機能種別に関する目標値とを組にして構成される。以下の説明では、機能種別に関する目標値を、制御値と呼ぶ。
【００３９】
制御値は、連携装置３００において設定される値であってもよい。または、制御値は、連携装置３００において設定される値の変化量であってもよい。
【００４０】
また、機能種別が音声である場合、制御値は、音声に関する情報（例えば、音声データのファイルパス等）であってもよい。
【００４１】
例えば、映像再生部１０４が、夜のシーンの映像（映像情報）を再生する場合、当該シーンの再生順序識別情報と、装置種別「照明」と、制御指示「照度を低下」とを関連付けた環境情報が、映像情報に設定されてもよい。
【００４２】
また、例えば、映像再生部１０４が、晴れた屋外のシーンの映像（映像情報）を再生する場合、当該シーンの再生順序識別情報と、装置種別「照明」と、制御指示「照度のレベルの設定可能範囲のうち、照度のレベルを最大レベルに設定」とを関連付けた環境情報が、映像情報に設定されてもよい。
【００４３】
また、例えば、映像再生部１０４が、嵐のシーンの映像（映像情報）を再生する場合、当該シーンの再生順序識別情報と、装置種別「エアコン」と、制御指示「風量のレベルの設定可能範囲のうち、風量のレベルを最大レベルに設定」とを関連付けた環境情報が、映像情報に設定されてもよい。
【００４４】
また、例えば、映像再生部１０４が、秋から冬へ季節が移るシーンの映像（映像情報）を再生する場合、当該シーンの再生順序識別情報と、装置種別「エアコン」と、制御指示「単位時間ごとに温度を低下」とを関連付けた環境情報が、映像情報に設定されてもよい。
【００４５】
例えば、映像再生装置１００は、図４に示す環境情報に基づいて、再生順序識別情報「００．０１．１０．００」に関連付けられた映像を再生する際に、「エアコン」に「風向」を「下向きに設定」することを指示する。
【００４６】
また、映像再生装置１００は、図４に示す環境情報に基づいて、再生順序識別情報「００．０５．２０．００」に関連付けられた映像を再生する際に、「空気清浄機」に「風量」を「レベル３に設定」することを指示する。さらに、映像再生装置１００は、図４に示す環境情報に基づいて、再生順序識別情報「００．０５．２０．００」に関連付けられた映像を再生する際に、「エアコン」に「温度」を「１℃上げる」ことを指示する。
【００４７】
また、映像再生装置１００は、図４に示す環境情報に基づいて、再生順序識別情報「００．２０．４０．００」に関連付けられた映像を再生する際に、「照明装置」に「照度」を「レベル２に設定」することを指示する。
【００４８】
また、映像再生装置１００は、図４に示す環境情報に基づいて、再生順序識別情報「００．５０．００．００」に関連付けられた映像を再生する際に、「エアコン」に「温度」を「２℃下がるまで毎分０．５℃下げる」ことを指示する。
【００４９】
次に、映像再生装置１００の動作について説明する。
【００５０】
図５は、映像再生装置１００の動作の一例を示すフローチャートである。なお、以下の説明では、記憶部１０１が、図３に示す装置情報を記憶するものとする。また、映像情報に図４に示す環境情報が設定されているものとする。また、以下の説明では、装置識別情報として、ＩＰアドレスを用いて説明するが、これは、装置識別情報をＩＰアドレスに限定する趣旨ではない。
【００５１】
ステップＳ１１において、映像再生部１０３は、映像情報の再生を開始する。具体的には、映像再生部１０３は、映像情報の再生指示を受け付けると、映像情報の再生を開始する。例えば、ユーザが、リモコン等を利用して、映像再生装置１００に、映像情報の再生を指示してもよい。
【００５２】
ステップＳ１２において、映像情報の再生対象の再生順序識別情報に環境情報が関連付けられているか否かを、環境情報取得部１０５は判断する。映像情報の再生対象の再生順序識別情報に、環境情報が関連付けられていない場合（ステップＳ１２：Ｎｏ）には、映像再生部１０４は、次の再生順序の映像を再生する。そして、制御は、ステップＳ１２に戻り、処理を継続する。
【００５３】
一方、映像情報の再生対象の再生順序識別情報に環境情報が関連付けられている場合（ステップＳ１２：Ｙｅｓ）には、環境情報取得部１０５は、環境情報に基づいて、映像情報の再生対象の再生順序識別情報に関連付けられた装置種別と制御指示とを特定する（ステップＳ１３）。そして、制御は、ステップＳ１４に遷移する。
【００５４】
例えば、図４に示す環境情報が映像情報に設定されているとする。そして、映像再生部１０４により再生される、映像情報の再生対象の再生順序識別情報が、「００．２０．４０．００」であるとする。その場合、映像情報の再生対象の再生順序識別情報に、環境情報が関連付けられている、と環境情報取得部１０５は判断する。そして、環境情報取得部１０５は、装置種別「照明」と、制御指示（機能種別、制御値）「（照度、レベル２に設定）」とを特定する。
【００５５】
なお、映像再生部１０３が映像情報の再生指示を受け付けると、環境情報取得部１０５は、再生対象の映像情報に設定された環境情報を取得してもよい。さらに、環境情報取得部１０５は、取得した環境情報を、記憶部１０１に格納してもよい。その場合、映像再生部１０３が映像情報の再生を開始すると、映像情報の再生対象の再生順序識別情報が、取得した環境情報に含まれる再生順序識別情報になったか否かを、環境情報取得部１０５は判断してもよい。
【００５６】
ステップＳ１４において、特定した装置種別が、予め登録された装置情報に含まれるか否かを、環境制御部１０６は判断する。具体的には、映像情報の再生対象の再生順序識別情報に関連付けられた装置種別が、記憶部１０１に記憶されている装置情報に登録されているか否かを、環境制御部１０６は判断する。
【００５７】
特定した装置種別が装置情報に含まれない場合（ステップＳ１４）に：Ｎｏは、映像再生部１０４は、次の再生順序の映像を再生する。そして、制御は、ステップＳ１２に戻り、処理を継続する。
【００５８】
一方、特定した装置種別が装置情報に含まれる場合（ステップＳ１４：Ｙｅｓ）には、環境制御部１０６は、装置情報に基づいて、特定した装置種別に関連付けられた、機能種別と設定可能範囲との組と、ＩＰアドレスとを特定する（ステップＳ１５）。そして、制御は、ステップＳ１６に遷移する。なお、以下の説明では、機能種別と設定可能範囲との組を、装置機能情報と呼ぶ。
【００５９】
例えば、環境制御部１０６が特定した装置種別が「照明」である場合、装置種別「照明」が装置情報に含まれるか否かを、環境制御部１０６は判断する。例えば、記憶部１０１が図３に示す装置情報を記憶している場合、装置種別「照明」が装置情報に含まれる、と環境制御部１０６は判断する。そして、環境制御部１０６は、装置機能情報として、機能種別「照度」と設定可能範囲「（レベル０，レベル４）」を特定する。ここで、装置機能情報が、機能種別「照度」と設定可能範囲「（レベル０，レベル４）」である場合、当該装置機能情報を関連付けた連携装置３００は、レベル０以上レベル４以下の照度を設定可能であるものとする。さらに、環境制御部１０６は、装置種別「照明」の装置識別情報（例えば、ＩＰアドレス）「ａａａ．ａａａ．ｂｂｂ．ｃ」を特定する。
【００６０】
ステップＳ１６において、特定した制御指示に含まれる機能種別が、特定した装置種別に関連付けられているか否を、環境制御部１０６は装置情報に基づいて判断する。具体的には、特定した制御指示に含まれる機能種別が、特定した装置機能情報に含まれるか否かを、環境制御部１０６は判断する。
【００６１】
特定した制御指示に含まれる機能種別が、装置情報において、特定した装置種別に関連付けられていない場合（ステップＳ１６：Ｎｏ）には、映像再生部１０４は、次の再生順序の映像を再生する。そして、制御は、ステップＳ１２に戻り、処理を継続する。それにより、映像再生装置１００が、連携装置３００に、実行不可能な処理を指示することを防止できる。
【００６２】
一方、特定した制御指示に含まれる機能種別が、装置情報において、特定した装置種別に関連付けられている場合（ステップＳ１６：Ｙｅｓ）には、制御は、ステップＳ１７に遷移する。
【００６３】
ステップＳ１７において、特定した制御指示に含まれる制御値が、装置情報において、特定した機能種別に関連付けられた設定可能範囲内であるか否かを、環境制御部１０６は判断する。具体的には、特定した制御指示に含まれる制御値が、特定した装置機能情報において、特定した機能種別に関連付けられた設定可能範囲内であるか否かを、環境制御部１０６は判断する。
【００６４】
例えば、環境制御部１０６により特定された制御指示に含まれる制御値が、「レベル２に設定」であるとする。また、環境制御部１０６により特定された設定可能範囲が「（レベル０，レベル４）」であるとする。そして、設定可能範囲が「（レベル０，レベル４）」であることは、当該設定可能範囲に関連付けられた連携装置３００において、レベル０以上レベル４以下の値を設定可能であるとする。その場合、制御値「レベル２に設定」は設定可能範囲内である、と環境制御部１０６は判断する。
【００６５】
特定した制御指示に含まれる制御値が、装置情報において、特定した機能種別に関連付けられた設定可能範囲内ではない場合（ステップＳ１７：Ｎｏ）には、環境制御部１０６は、特定した機能種別において設定可能な値を、制御値として決定する（ステップＳ１８）。そして、制御は、ステップＳ１９に遷移する。
【００６６】
例えば、制御指示に含まれる制御値が、装置情報として登録された設定可能範囲より小さい場合、環境制御部１０６は、設定可能範囲のうち最小値を、制御値として決定してもよい。同様に、制御指示に含まれる制御値が、装置情報として登録された設定可能範囲より大きい場合、環境制御部１０６は、制御値を、設定可能範囲のうち最大値を、制御値として決定してもよい。
【００６７】
一方、特定した制御指示に含まれる制御値が、装置情報において、特定した機能種別に関連付けられた設定可能範囲内である場合（ステップＳ１７：Ｙｅｓ）には、制御は、ステップＳ１９に遷移する。
【００６８】
ステップＳ１９において、環境制御部１０６は、特定した装置識別情報の連携装置３００に、制御指示を送信する（ステップＳ１９）。具体的には、環境制御部１０６は、再生対象の再生順序識別情報に関連付けられた連携装置３００に、再生対象の再生順序識別情報に関連付けられた機能種別に関して、制御指示に基づく処理を指示する。
【００６９】
例えば、図４に示す環境情報が映像情報に設定されているとする。そして、映像再生部１０４により再生される、映像情報の再生対象の再生順序識別情報が、「００．２０．４０．００」であるとする。その場合、環境制御部１０６は、装置種別「照明」に対応する装置識別情報「ａａａ．ａａａ．ｂｂｂ．ｃ」の連携装置３００に、制御指示（機能種別、制御値）「（照度、レベル２に設定）」を送信する。例えば、装置識別情報「ａａａ．ａａａ．ｂｂｂ．ｃ」が連携装置３００のＩＰアドレスである場合、環境制御部１０６は、ＩＰアドレス「ａａａ．ａａａ．ｂｂｂ．ｃ」の照明に、レベル２の照度に設定するように指示する。また、例えば、環境制御部１０６が、無線（Ｂｌｕｅｔｏｏｔｈ（登録商標）等）により、装置識別情報と、制御指示とを含む電波を送信してもよい。そして、連携装置３００は、自身の連携装置３００を識別する装置識別情報を受信した場合、受信した制御指示に基づいて処理を実行してもよい。
【００７０】
装置情報において、装置識別情報に一の機能種別が対応付けられている場合、ステップＳ１５の処理に替えて、環境制御部１０６は、装置情報に基づいて、特定した装置種別に関連付けられた設定可能範囲との組と、ＩＰアドレスとを特定してもよい。そして、制御は、ステップＳ１７に遷移してもよい。
【００７１】
また、特定した制御指示に含まれる制御値が、装置情報において、特定した機能種別に関連付けられた設定可能範囲内ではない場合（ステップＳ１７：Ｎｏ）には、映像再生部１０４は、次の再生順序の映像を再生してもよい。そして、制御は、ステップＳ１２に戻り、処理を継続してもよい。なお、上記フローは一例であって、本実施の形態はこれに限定されるものではない。本実施の形態によれば、映像情報の再生されるシーンに応じて、温度や照明等の環境を変化させることができる。
【００７２】
［第２の実施形態］
次に、第２の実施形態について説明する。なお、下記において他の実施形態と同様である点については説明を省略する。
【００７３】
図６は、本実施形態に係る映像再生システムの構成の一例を示すブロック図である。本実施形態に係る映像再生システムは、ユーザ端末４００を含んで構成される点で、第１の実施形態に係る映像再生システムと異なる。なお、図６は、本実施形態に係る映像再生システムの構成を限定する趣旨ではない。例えば、図６においては、ユーザ宅１０内にユーザ端末４００を配置するが、これは、ユーザ端末４００が、ユーザ宅１０内にあることを限定する趣旨ではない。
【００７４】
映像再生装置１００、ユーザ端末４００は、無線（Bluetooth（登録商標）、Wi-Fi（登録商標）等）又は有線により接続する。映像再生装置１００、ユーザ端末４００は、ユーザ宅１０に設置されたアクセスポイント（不図示）を介して通信してもよいし、アクセスポイント（不図示）を介さず通信してもよい。
【００７５】
ユーザ端末４００は、視聴者（ユーザ）が使用する情報処理装置（コンピュータ）であって、例えば、スマートフォン、ＰＣ（Personal Computer）等である。
【００７６】
図７は、本実施形態に係る映像再生装置１００の機能構成の一例を示すブロック図である。本実施形態に係る映像再生装置１００は、装置位置情報管理部１０７を含む点で、第１の実施形態に係る映像再生装置１００と異なる。
【００７７】
記憶部１０１は、視聴空間において、視聴者（ユーザ）が映像（映像情報）を視聴する位置情報（以下、視聴位置情報と呼ぶ）を記憶する。さらに、記憶部１０１は、視聴空間における連携装置３００の位置情報（以下、装置位置情報と呼ぶ）を記憶する。また、記憶部１０１は、視聴者（ユーザ）が映像（映像情報）を視聴する位置（視聴位置）と、視聴空間における連携装置３００の位置（装置位置）間の相対位置を記憶してもよい。また、視聴位置情報及び装置位置情報は、視聴空間内に設定された座標軸上の座標値であってもよい。
【００７８】
本実施形態に係る装置情報は、例えば、装置識別情報と、装置種別と、機能種別と、当該機能に関する設定可能な範囲を示す情報と、推奨距離とを関連付けて構成される。ここで、推奨距離とは、視聴位置と装置位置間の距離として推奨される距離を示す情報である。
【００７９】
図８は、本実施形態に係る装置情報の一例を示す図である。具体的には、図８は、装置種別と、装置識別情報と、機能種別と、設定可能範囲と、推奨距離とを関連付けたテーブルを示す。なお、図８は、本実施形態に係る装置情報の一例であり、本実施形態に係る装置情報を、図８に示す構成、情報に限定する趣旨ではない。例えば、図８は、「推奨距離（ｍｉｎ，ｍａｘ）」を示すが、これは、本実施形態に係る装置情報が、視聴位置との装置位置間の推奨距離として、推奨される最小距離と最大距離とを含んで構成されることに限定する趣旨ではない。
【００８０】
装置位置情報管理部１０７は、視聴位置情報と装置位置情報とを取得する。例えば、装置位置情報管理部１０７は、通信部１０２を介して、ユーザ端末４００から、視聴位置情報と装置位置情報とを取得（受信）してもよい。
【００８１】
また、装置位置情報管理部１０７は、視聴位置と装置位置間の距離を算出する。例えば、装置位置情報管理部１０７は、ユーザ端末４００から、視聴位置情報と装置位置情報とを取得した際に、視聴位置と装置位置間の距離を算出する。装置位置情報管理部１０７は、視聴位置と装置位置間の距離を記憶部１０１に記憶させる。なお、視聴位置と装置位置間の距離は、視聴者と連携装置３００間の距離を示す情報であればよく、その詳細は問わない。例えば、視聴位置情報及び装置位置情報は、視聴空間内に設定された座標軸上の座標値である場合、装置位置情報管理部１０７は、視聴位置を示す座標値と、装置位置を示す座標値間の距離を、視聴位置と装置位置間の距離として算出してもよい。
【００８２】
具体的には、環境制御部１０６は、環境情報に基づいて制御指示を特定すると、制御指示の送信先の連携装置３００の装置位置と視聴位置間の距離に基づいて、制御値を更新（補正）する。具体的には、環境制御部１０６は、制御指示の送信先の連携装置３００の装置位置と視聴位置間の距離に応じて、制御値に重みづけして、制御値を更新する。環境制御部１０６は、所定の関数（線形関数、指数関数、ステップ関数等）を利用して、制御値に重みづけしてもよく、制御値の更新方法の詳細は問わない。
【００８３】
例えば、制御指示の送信先の連携装置３００の装置位置と視聴位置間の距離が、推奨距離ではない場合、環境制御部１０６は、制御値を更新してもよい。そして、環境制御部１０６は、更新した制御値を含む制御指示を、連携装置３００に送信してもよい。一方、環境制御部１０６は、制御指示の送信先の連携装置３００の装置位置と視聴位置間の距離が推奨距離である場合、環境制御部１０６は、環境情報に含まれる制御値を含む制御指示を、連携装置３００に送信してもよい。
【００８４】
図９は、ユーザ端末４００の機能構成の一例を示すブロック図である。
【００８５】
ユーザ端末４００は、例えば、記憶部４０１と、通信部４０２と、制御部４０３と、入力部４０４とを含む。
【００８６】
記憶部４０１は、ユーザ端末４００を動作させるための情報を記憶する。記憶部１０１は、例えば、ＲＯＭ、ＲＡＭ等により実現される。
【００８７】
通信部４０２は、映像再生装置１００と通信する。通信部４０２は、例えば、ＮＩＣ等により実現される。
【００８８】
制御部４０３は、ユーザ端末４００の全体を制御する。制御部４０３は、ＣＰＵ等のプロセッサにより実現される。例えば、プロセッサが、記憶部４０１に格納されたプログラムを読み出し、実行することで、プロセッサは、制御部４０３として動作する。
【００８９】
入力部４０４は、ユーザの操作を受け付け、タッチパネル、キーボード、ボタン等により実現される。ユーザは、入力部４０４を用いて、視聴位置情報と装置位置情報とを設定（入力）する。制御部４０３は、入力された視聴位置情報と装置位置情報とを、通信部４０２を介して、映像再生装置１００に送信する。
【００９０】
例えば、制御部４０３は、視聴位置情報と装置位置情報とを設定するための設定画面を生成し、生成した設定画面を表示画面（不図示）に表示してもよい。その場合、ユーザは、表示画面（不図示）に表示された設定画面を利用して、視聴位置情報と装置位置情報とを設定（入力）する。
【００９１】
図１０は、視聴位置と装置位置とを設定するための設定画面の一例を示す図である。図１０に示す設定領域１０００は視聴空間を示すものとする。
【００９２】
ユーザは、入力部４０４（タッチパネル、キーボード、ボタン等）を用いて、ユーザ端末４００の表示画面の設定領域１０００内に、視聴位置と、ユーザ宅１０の視聴空間内の家電機器（連携装置３００）の位置（装置位置）を設定（入力）する。例えば、ユーザ宅１０に、連携装置３００として、エアコン、空気清浄機、照明、扇風機が配置されているとする。その場合、ユーザは、入力部４０４（タッチパネル、キーボード、ボタン等）を用いて、図１０に表示された設定画面の設定領域１０００内に、視聴者１００１、エアコン１０１１、空気清浄機１０１２、照明１０１３、扇風機１０１４を配置する。
【００９３】
そして、ユーザが視聴位置情報と装置位置情報とを設定完了の操作（例えば、図１０に示す「ＯＫ」ボタンを押下）を行うと、制御部４０３は、設定画面の設定領域１０００内に配置された視聴者及び連携装置３００に基づいて、視聴位置情報と装置位置情報とを決定する。例えば、制御部４０３は、設定画面の設定領域１０００に対して設定された座標軸上の座標値として、視聴位置情報と装置位置情報とを決定する。そして、制御部４０３は、視聴位置情報と装置位置情報とを、通信部４０１を介して、映像再生装置１００に送信する。
【００９４】
図１１は、記憶部１０１に格納される視聴位置情報の一例を示す。また、図１２は、記憶部１０１に格納される装置位置情報の一例を示す。図１１、図１２は、設定画面の設定領域１０００に対して設定された、２次元の座標軸に対する座標値として、視聴位置情報及び装置位置情報を示す。ここで、図１０に示す設定領域１０００に対して設定された座標軸は、設定領域１０００（矩形領域）の左上頂点を原点（０，０）、水平方向をＸ軸、平面上でＸ軸に直行する方向をＹ軸として設定されている。なお、図１１は、視聴位置情報の一例であり、視聴位置情報を図１１に示す形式に限定する趣旨ではない。同様に、図１２は、装置位置情報の一例であり、装置位置情報を図１２に示す形式に限定する趣旨ではない。例えば、視聴位置情報及び装置位置情報は、３次元座標として表現されてもよい。
【００９５】
次に、本実施形態に係る映像再生装置１００の動作について説明する。
【００９６】
図１３は、映像再生装置１００の動作の一例を示すフローチャートである。
【００９７】
特定した装置種別が装置情報に含まれる、と環境制御部１０６が判断した場合（図５に示すステップＳ１５）、装置位置情報管理部１０７は、特定した装置種別の連携装置３００と視聴位置間の距離を算出する（ステップＳ１０１）。
【００９８】
ステップＳ１０２において、環境制御部１０６は、装置位置と視聴位置間の距離に基づいて、制御値を更新する。そして、制御は、図５に示すステップＳ１５に遷移する。
【００９９】
例えば、映像再生部１０４により再生される映像情報に、図４に示す環境情報が設定されているとする。そして、映像情報の再生対象の再生順序識別情報が、「００．０５．２０．００」であるとする。その場合、環境情報取得部１０５は、環境情報に基づいて、映像情報の再生対象の再生順序識別情報に関連付けられた装置種別「空気清浄機」と、装置種別「空気清浄機」に関連付けられた制御指示とを取得する。
【０１００】
例えば、環境情報取得部１０５が、映像情報の再生対象の再生順序識別情報に関連付けられた装置種別「空気清浄機」と、装置種別「空気清浄機」に関連付けられた制御指示とを取得したとする。また、記憶部１０１が図１０に示す視聴位置情報と、図１１に示す装置位置情報とを記憶しているとする。その場合、装置位置情報管理部１０７は、視聴位置（Ｘ，Ｙ）＝（３，３）と、装置種別「空気清浄機」の連携装置３００の装置位置（Ｘ，Ｙ）＝（４，４）間の距離を算出する。
【０１０１】
また、例えば、環境制御部１０６が特定した装置種別が「照明」であるとする。その場合、環境制御部１０６は、装置種別「照明」の連携装置３００と視聴位置間の距離とに基づいて、制御指示に含まれる制御値よりも増加（又は減少）させた照度を設定するように、装置種別「照明」の連携装置３００に指示してもよい。
【０１０２】
例えば、環境制御部１０６により特定された制御指示が、「照度をレベル２に設定」であるとする。また、装置種別「照明」の連携装置３００と視聴位置間の距離が、装置種別「照明」の推奨距離より遠いとする。その場合、環境制御部１０６は、環境制御部１０６は、レベル２の照度より高い照度に設定するように、制御値を変更してもよい。それにより、視聴位置と装置種別「照明」の連携装置３００間の距離が、環境情報の作成者が想定した距離より離れている場合であっても、本実施形態に係る映像再生装置１００は、環境情報の作成者が想定した明るさを、視聴者に感じさせることに寄与する。
【０１０３】
以上のように、本実施形態に係る映像再生装置１００は、視聴位置と装置位置とに応じて、連携機器３００に対する制御指示を更新する。それにより、本実施形態に係る映像再生装置１００は、環境情報の作成者が予め想定した視聴環境に近い視聴環境を、視聴者に提供することに寄与する。
【０１０４】
［第３の実施形態］
次に、第３の実施形態について説明する。なお、下記において他の実施形態と同様である点については説明を省略する。本実施形態は、ユーザにより編集された環境情報に基づいて、連携装置３００を制御する形態である。
【０１０５】
図１４は、本実施形態に係る映像再生システムの構成の一例を示すブロック図である。本実施形態に係る映像再生システムは、サーバ装置５００を含んで構成される点で、第１の実施形態に係る映像再生システムと異なる。また、本実施形態に係る映像再生システムは、ユーザ端末４００がサーバ装置５００に接続する点で、第２の実施形態に係る映像再生システムと異なる。なお、図１４は、本実施形態に係る映像再生システムの構成を限定する趣旨ではない。例えば、図１４は、説明の便宜上、ユーザ宅１０を一つ示すが、本実施形態に係る映像再生システムは、複数のユーザ宅１０を含んで構成されてもよい。
【０１０６】
サーバ装置５００は、ネットワーク６００を介して、映像再生装置１００、ユーザ端末４００に接続する。ネットワーク６００は、例えば、ＷＡＮ等である。なお、図１４は、ユーザ端末４００が、ネットワーク６００を介して、サーバ装置５００に接続する構成を示すが、ユーザ端末４００は、映像再生装置１００に接続してもよい。その場合、映像再生装置１００は、ユーザ端末４００から受信したデータ（情報）を、サーバ装置５００に送信してもよい。
【０１０７】
サーバ装置５００は、複数の映像ＩＤに対応する映像情報に関して、それぞれの映像ＩＤに関連付けられた環境情報を管理する。さらに、サーバ装置５００は、ユーザ端末４００から送信されたユーザ環境情報を管理する。
【０１０８】
上記の通り、環境制御部１０６は、映像情報に予め設定された環境情報に基づいて連携装置３００を制御する。それにより、連携装置３００は、視聴空間の環境を変化させることができる。しかし、視聴者（ユーザ）は、視聴するシーンに対して、環境情報により提供される視聴環境とは異なる視聴環境を望む可能性がある。そこで、本実施形態に係る映像再生システムにおいては、ユーザ端末４００は、ユーザの操作に基づいて、環境情報を編集する。そして、ユーザ端末４００は、映像ＩＤと、ユーザＩＤと、編集した環境情報とを、サーバ装置５００に送信する。
【０１０９】
次に、サーバ装置５００の機能構成について説明する。
【０１１０】
図１５は、サーバ装置５００の機能構成の一例を示すブロック図である。サーバ装置５００は、例えば、記憶部５０１と、通信部５０２と、制御部５０３とを含む。制御部５０３は、例えば、環境情報管理部５０４と、ユーザ環境情報管理部５０５とを含む。
【０１１１】
記憶部５０１は、サーバ装置５００を動作させるための情報を記憶する。記憶部５０１は、例えば、ＲＯＭ、ＲＡＭ等により実現される。記憶部５０１は、環境情報が設定された映像情報を記憶してもよい。
【０１１２】
図１６は、ユーザ環境情報の一例を示す図である。具体的には、図１６は、映像ＩＤ「ｍｏｖ０００１」の映像情報とユーザＩＤ「ｕｓｅｒ１００１」とに関連する、再生順序識別情報と装置種別と制御指示とを関連付けたテーブルを示す。なお、図１６は、ユーザ環境情報の一例であり、ユーザ環境情報を図１６に示す構成、情報に限定する趣旨ではない。
【０１１３】
通信部５０２は、映像再生装置１００及び連携装置３００と通信する。通信部５０２は、例えば、ＮＩＣ等により実現される。
【０１１４】
制御部５０３は、サーバ装置５００の全体を制御する。制御部５０３は、ＣＰＵ等のプロセッサにより実現される。例えば、プロセッサが、記憶部５０１に格納されたプログラムを読み出し、実行することで、プロセッサは、制御部５０３として動作する。
【０１１５】
記憶部５０１が映像情報を記憶する場合、制御部５０３は、映像再生装置１００からの要求に応じて、映像再生装置１００に映像情報を送信してもよい。
【０１１６】
環境情報管理部５０４は、映像情報に設定された環境情報を管理する。
【０１１７】
例えば、通信部５０１が、環境情報を要求する信号（以下、環境情報要求と呼ぶ）を受信した場合、環境情報要求に応じて、環境情報管理部５０４は、記憶部５０１から環境情報を抽出する。そして、環境情報管理部５０４は、環境情報要求の送信元に、抽出した環境情報を送信する。
【０１１８】
また、例えば、映像再生部１０４が映像情報の再生を開始する際に、環境制御部１０６は、映像ＩＤを含む環境情報要求を送信する。環境情報管理部５０４は、映像ＩＤを含む環境情報要求を受信すると、受信した映像ＩＤに基づいて、記憶部５０１から映像情報を抽出する。ここで、環境情報管理部５０４が抽出する映像情報には、環境情報が設定されているものとする。そして、環境情報管理部５０４は、抽出した映像情報を、映像再生装置１００に送信する。サーバ装置５００が、映像ＩＤを関連付けて映像情報と環境情報とを管理することで、本実施形態に係る映像再生システムにおいては、サーバ装置５００が、一元的に、映像情報と環境情報とを管理できる。
【０１１９】
ユーザ環境情報管理部５０５は、ユーザ環境情報を管理する。
【０１２０】
例えば、ユーザ環境情報管理部５０５は、映像ＩＤとユーザＩＤとユーザの操作に基づき編集された環境情報とを関連付けて、ユーザ環境情報を生成する。そして、ユーザ環境情報管理部５０５は、生成したユーザ環境情報を、記憶部５０１に記憶させる。なお、ユーザ環境情報管理５０５は、生成したユーザ環境情報を映像情報に設定して、映像情報を更新してもよい。そして、ユーザ環境情報５０５は、ユーザ環境情報を設定した映像情報を、記憶部５０１に記憶させてもよい。
【０１２１】
例えば、映像再生部１０４が映像情報の再生を開始する際に、環境制御部１０６は、映像ＩＤとユーザＩＤとを含むユーザ環境情報要求を送信する。ユーザ環境情報管理部５０５は、映像ＩＤとユーザＩＤとを含むユーザ環境情報要求を受信すると、受信した映像ＩＤとユーザＩＤとに基づいて、記憶部５０１からユーザ環境情報を抽出する。ユーザ環境情報管理部５０５は、抽出したユーザ環境情報を、ユーザ環境情報要求の送信元に送信する。そして、環境制御部１０６は、再生対象の映像情報に設定された環境情報に替えて、受信したユーザ環境情報に基づいて、連携装置３００を制御する。
【０１２２】
または、ユーザ環境情報管理部５０５が、ユーザ環境情報を設定した映像情報を、記憶部５０１に記憶してもよい。その場合、ユーザ環境情報管理部５０５は、映像ＩＤとユーザＩＤとを含むユーザ環境情報要求を受信すると、受信した映像ＩＤとユーザＩＤとに基づいて、記憶部５０１から、ユーザ環境情報を設定した映像情報を抽出する。そして、ユーザ環境情報管理部５０５は、ユーザ環境情報を設定した映像情報を、ユーザ環境情報要求の送信元に送信する。そして、映像再生部１０４は、受信した映像情報を再生する。さらに、環境制御部１０６は、映像情報に設定されたユーザ環境情報に基づいて、連携装置３００を制御する。
【０１２３】
例えば、映像情報に、図４に示す環境情報が関連付けられているとする。また、映像再生部１０４により再生される、映像情報の再生対象の再生順序識別情報が、「００．０１．１０．００」であるとする。その場合、環境情報制御部１０６は、図４に示す環境情報に基づいて、装置種別「エアコン」の連携装置３００に、風向きを下向きに設定するように指示する。
【０１２４】
しかし、視聴者（ユーザ）は、映像情報を視聴した際に、再生順序識別情報「００．０１．１０．００」のシーンにおいて、強い風を感じることを望んだとする。その場合、視聴者（ユーザ）は、ユーザ端末４００の入力部４０４を用いて、再生順序識別情報「００．０１．１０．００」に示すシーンにおいて、装置種別「エアコン」の連携装置３００に、「風量のレベルを３に設定」との制御指示を追加するように、環境情報を編集する。ユーザ端末４００は、編集された環境情報をサーバ装置５００に送信する。
【０１２５】
そして、環境情報を編集したユーザのユーザ宅１０において、映像再生部１０４が、当該環境情報を設定された映像情報を再生する場合には、サーバ装置１００は、ユーザにより編集された環境情報（ユーザ環境情報）を、映像再生装置１００に送信する。そして、映像再生装置１００は、再生対象の映像情報に設定された環境情報に替えて、ユーザにより編集された環境情報（ユーザ環境情報）に基づいて、連携装置３００を制御する。それにより、視聴者（ユーザ）は、視聴者自身が望む環境で、映像を視聴できる。
【０１２６】
以上より、本実施形態に係る映像再生システムは、視聴者（ユーザ）により編集された制御指示を反映した視聴環境を、視聴者（ユーザ）に提供する。それにより、本実施形態に係る映像再生システムは、視聴者（ユーザ）自身の主観を反映した視聴環境を、当該視聴者（ユーザ）に提供できる。
【０１２７】
また、ユーザ環境情報管理部５０５は、同一の映像ＩＤに関連付けられたユーザ環境情報を複数組み合わせて、新たな環境情報（以下、標準ユーザ環境情報と呼ぶ）を生成してもよい。そして、ユーザ環境情報管理部５０５は、生成した標準ユーザ環境情報を、記憶部５０１に記憶させてもよい。そして、環境制御部１０６は、標準ユーザ環境情報に基づいて、連携装置３００を制御してもよい。
【０１２８】
例えば、ユーザ環境情報管理部５０５は、同一の映像ＩＤに関連付けられた複数のユーザ環境情報を、機械学習（強化学習等）により学習し、標準ユーザ環境情報を生成してもよい。例えば、ユーザ環境情報管理部５０５は、所定の範囲の映像のシーン毎に、複数のユーザ環境情報における制御指示が類似しているほど、当該制御指示に高い得点を設定するように強化学習を行い、標準ユーザ環境情報を生成してもよい。
【０１２９】
なお、ユーザ環境情報管理５０５は、標準ユーザ環境情報を映像情報に設定して、映像情報を更新してもよい。そして、ユーザ環境情報５０５は、標準ユーザ環境情報を設定した映像情報を、記憶部５０１に記憶させてもよい。
【０１３０】
ユーザ環境情報管理部５０５は、映像ＩＤを含む標準ユーザ環境情報要求を受信すると、受信した映像ＩＤに基づいて、記憶部５０１から標準ユーザ環境情報を抽出する。ユーザ環境情報管理部５０５は、抽出した標準ユーザ環境情報を、標準ユーザ環境情報要求の送信元に送信する。そして、環境制御部１０６は、再生対象の映像情報に予め設定された環境情報に替えて、受信した標準ユーザ環境情報に基づいて、連携装置３００を制御する。
【０１３１】
以上より、本実施形態に係る映像再生システムは、一の映像（映像情報）に関して複数の視聴者（ユーザ）により編集された制御指示を反映した視聴環境を、視聴者（ユーザ）に提供する。
【０１３２】
なお、サーバ装置５００が、映像再生部１０４と、環境情報取得部１０５とを含んで構成されてもよい。さらに、サーバ装置５００が、環境制御部１０６を含んで構成されてもよい。その場合、サーバ装置５００は、映像再生装置１００が再生する映像情報の再生状態を監視し、再生状態に応じて、連携装置３００に制御指示を送信してもよい。
【０１３３】
また、上記の説明では、ユーザが、ユーザ端末４００を用いて、環境情報を編集する形態を説明した。しかし、これは、ユーザが、ユーザ端末４００を用いて、環境情報を編集する形態に限定する趣旨ではない。例えば、ユーザが、映像再生装置１００の入力手段（タッチパネル、ボタン、リモコン等）を利用して、環境情報を編集してもよい。そして、映像再生装置１００は、映像ＩＤと、ユーザＩＤと、編集した環境情報とを関連付けて、サーバ装置５００に送信してもよい。そして、サーバ装置５００は、映像ＩＤと、ユーザＩＤと、編集した環境情報とを関連付けて、ユーザ環境情報を生成してもよい。
【０１３４】
また、上記の説明では、サーバ装置５００がユーザ環境情報を生成する形態を説明した。しかし、これは、サーバ装置５００がユーザ環境情報を生成する形態に限定する趣旨ではない。映像再生装置１００、ユーザ端末４００、サーバ装置５００の少なくともいずれかが、ユーザ環境情報を生成してもよいことは勿論である。
【０１３５】
本発明は、上記実施形態に限定されるものではなく、上記実施形態で示した構成と実質的に同一の構成、同一の作用効果を奏する構成又は同一の目的を達成することができる構成で置き換えてもよい。なお、特許請求の範囲における映像再生システムは、サーバまたは映像再生装置を含む。また、映像再生システムは、映像再生装置や連携装置を含むシステムを含んでもよい。
【符号の説明】
【０１３６】
１０  ユーザ宅、１００  映像再生装置、１０１  記憶部、１０２  通信部、１０３  制御部、１０４  映像再生部、１０５  環境情報取得部、１０６  環境制御部、１０７  装置位置情報管理部、２００  表示装置、３００  連携装置、３０１  空気調和装置、３０２  照明装置、４００  ユーザ端末、４０１  記憶部、４０２  通信部、４０３  制御部、４０４  入力部、５００  サーバ装置、５０１  記憶部、５０２  通信部、５０３  制御部、５０４  環境情報管理部、５０５  ユーザ環境情報管理部、６００  ネットワーク、１０００  設定領域、１００１  視聴者、１０１１  エアコン、１０１２  空気清浄機、１０１３  照明、１０１４  扇風機
【図１】
2020150349.tif 000003
【図２】
2020150349.tif 000004
【図３】
2020150349.tif 000005
【図４】
2020150349.tif 000006
【図５】
2020150349.tif 000007
【図６】
2020150349.tif 000008
【図７】
2020150349.tif 000009
【図８】
2020150349.tif 000010
【図９】
2020150349.tif 000011
【図１０】
2020150349.tif 000012
【図１１】
2020150349.tif 000013
【図１２】
2020150349.tif 000014
【図１３】
2020150349.tif 000015
【図１４】
2020150349.tif 000016
【図１５】
2020150349.tif 000017
【図１６】
2020150349.tif 000018